(57)【要約】【課題】送受信を伴う通常の通話・データ通信と、ブロードキャスト／マルチキャストにより配信されるデータ(BCMCS)受信とが同時に発生したときのBCMCS受信処理の失敗を回避し、BCMCS受信成功率を向上させる。【解決手段】無線通信装置(100)は、送信機能および受信機能を持つ送受信部(110)と、受信機能を持つ受信部(120)、送受信を必要とする通信データを送受信部により処理し、ブロードキャスト／マルチキャストにより配信されるデータ(BCMCS)を受信部により処理するよう制御する制御部(150)を備える。制御部は、送受信部がBCMCSを受信しているときに、受信部が送受信を必要とする新たな通信データを受信した場合、送受信を必要とする新たな通信データの処理を受信部から送受信部に切り替え、BCMCSの処理を送受信部から受信部に切り替えるように制御する切替部(132)を備える。【選択図】図１
2008113212.tif 000002
【特許請求の範囲】
【請求項１】
送信機能および受信機能を持つ送受信部と、
受信機能を持つ受信部と、
送受信を必要とする通信データを前記送受信部により処理し、ブロードキャスト／マルチキャストにより配信されるデータを前記受信部により処理するよう制御する制御部と、
を備えることを特徴とする無線通信装置。
【請求項２】
請求項１に記載の無線通信装置において、
前記制御部は、
前記送受信部がブロードキャスト／マルチキャストにより配信されるデータを受信しているときに、前記受信部が送受信を必要とする新たな通信データを受信した場合、前記送受信を必要とする新たな通信データの処理を前記受信部から前記送受信部に切り替え、前記ブロードキャスト／マルチキャストにより配信されるデータの処理を前記送受信部から前記受信部に切り替えるように制御する切替部を備える、
ことを特徴とする無線通信装置。
【請求項３】
請求項１または２に記載の無線通信装置において、
前記制御部は、
前記送受信部および前記受信部により、送受信を必要とする通信データを受信しているときに、前記受信部が新たなブロードキャスト／マルチキャストにより配信されるデータを受信した場合、或いは新たなブロードキャスト／マルチキャストにより配信されるデータの受信を開始する場合、前記送受信を必要とする通信データの処理を前記送受信部のみにより実行し、前記新たなブロードキャスト／マルチキャストにより配信されるデータの処理を前記受信部により実行するように制御する、
ことを特徴とする無線通信装置。
【請求項４】
請求項１〜３のいずれか１項に記載の無線通信装置において、
前記無線通信装置が表示部をさらに備え、
前記制御部は、
前記送受信部がブロードキャスト／マルチキャストにより配信されるデータを受信しているときに、前記受信部が送受信を必要とする新たな通信データを受信した場合、前記送受信を必要とする新たな通信データの処理を前記受信部から前記送受信部に切り替え、前記ブロードキャスト／マルチキャストにより配信されるデータの処理を前記送受信部から前記受信部に切り替えるか否かの選択を促す旨の表示を前記表示部に表示するように制御する、
ことを特徴とする無線通信装置。
【請求項５】
請求項１〜３のいずれか１項に記載の無線通信装置において、
前記無線通信装置が表示部をさらに備え、
前記制御部は、
前記送受信部および前記受信部により、送受信を必要とする通信データを受信しているときに、前記受信部が新たなブロードキャスト／マルチキャストにより配信されるデータを受信した場合、或いは新たなブロードキャスト／マルチキャストにより配信されるデータの受信を開始する場合、前記送受信を必要とする通信データの処理を前記送受信部のみにより実行し、前記新たなブロードキャスト／マルチキャストにより配信されるデータの処理を前記受信部により実行するか否かの選択を促す旨を前記表示部に表示するように制御する、
ことを特徴とする無線通信装置。
【請求項６】
請求項１〜３のいずれか１項に記載の無線通信装置において、
前記無線通信装置は、
前記受信部および／または前記送受信部が受信する信号の受信感度が所定の閾値以下であるか否かを判定する受信感度判定手段と、
表示部とをさらに備え、
前記制御部は、
前記送受信部が前記送受信を必要とする通信データを処理し、前記受信部が前記ブロードキャスト／マルチキャストにより配信されるデータを処理しているときに、前記受信感度判定手段により、前記受信感度が所定の閾値以下であると判定された場合、前記ブロードキャスト／マルチキャストにより配信されるデータ受信を優先するか、前記送受信を必要とする通信データを優先するか、の選択を促す旨の表示を前記表示部に表示するように制御する、
ことを特徴とする無線通信装置。
【請求項７】
送信機能および受信機能を有する送受信部と、受信機能を有する受信部とを備える無線通信装置による無線通信方法であって、
前記送受信部がブロードキャスト／マルチキャストにより配信されるデータを受信しているときに、前記受信部が送受信を必要とする新たな通信データを受信した場合、前記送受信を必要とする新たな通信データの処理を前記受信部から前記送信部に切り替え、前記ブロードキャスト／マルチキャストにより配信されるデータの処理を前記送受信部から前記受信部に切り替える、
ことを特徴とする無線通信方法。
【発明の詳細な説明】
【技術分野】
【０００１】
本発明は、無線通信装置に関し、特に、送受信を伴う通常の通話・データ通信と、ブロードキャスト／マルチキャストにより配信されるデータ（ＢＣＭＣＳ）受信とが同時に発生したときのブロードキャスト／マルチキャストにより配信されるデータ受信処理の失敗を回避し、ブロードキャスト／マルチキャストにより配信されるデータ受信成功率を向上させた無線通信装置に関する。
【背景技術】
【０００２】
符号分割多元接続（ＣＤＭＡ）を用いた移動体通信システムでは、高速なデータ通信機能、例えば、1xEV-DO(1x evolution-data only)を用いた様々な通信サービスが提供されている。1xEV-DOの通信サービスの例としては、通信チャネルを用いて同時に複数の無線通信装置（例えば、無線通信端末や、カーナビゲーションシステムに接続される無線通信カードモジュールなど）に向けて送信するＢＣＭＣＳ（Broadcast/Multicast Services）がある（例えば、非特許文献１を参照されたい）。
【０００３】
ＢＣＭＣＳの従来技術の一例としては、ＣＤＭＡ２０００のＢＣＭＣＳがあり、これは1xEV-DO通信エリア内の広範囲なユーザに向けた効率の良いデータ伝送方式である。また、ＣＤＭＡ２０００のＢＣＭＣＳでは、強力なエラー訂正符号を付加してあり、再送制御がない。このようにＢＣＭＣＳは一斉配信して再送を行わないシステムであるため、ＢＣＭＣＳ受信自体を失敗したときには、ユーザは、受信を失敗したＢＣＭＣＳデータを再度、通信帯域（トラフィックチャネル）を１ユーザで占有するユニキャストで取り直す必要があり、トラフィックが増大するという問題がある。
【０００４】
図９に、従来技術による携帯電話端末においてＢＣＭＣＳ受信を失敗する例を示す。図９（ａ）に示すように、一般的な携帯電話端末は、受信感度が良く送受信の機能を持つ送受信部（primary系と称する）と、送受信部よりも感度が低く、受信機能のみを持つ受信部（secondary系と称する）とを搭載している。図に示した携帯電話端末は、送受信部、受信部にはそれぞれアンテナが設けてあり、２つのアンテナによる空間ダイバーシティを行い、およびこれらのアンテナ、送受信部、受信部から得られる２つの受信信号を合成して最適な受信信号を得る（合成ダイバーシティを行う）ように制御する制御部をさらに設けてある。
【非特許文献１】“CDMA2000 High rate Broadcast Packet Data Air Interface Specification (C.S0054-0 Version 1.0) - Section 1.4: Broadcast Channels”、３ＧＰＰ２、２００４年２月
【発明の開示】
【発明が解決しようとする課題】
【０００５】
上述したように、従来の一般的な携帯電話端末には、受信機能が２系統搭載されているが、送信機能は１系統しか持っていない。また、受信感度がより高いprimary系の送受信部でメインの受信を行い、受信感度が低いsecondary系の受信部は、新たに入ってくる信号の定期的な待ち受けや、ダイバーシティ用の第２系統用の受信信号を得るために利用する形式で動作する。
【０００６】
従って、図９（ａ）のように、ＢＣＭＣＳ信号を受信しているときは、感度が高いprimary系の送受信部を用いてＢＣＭＣＳ信号を受信している。さらに、secondary系の受信部によるＢＣＭＣＳ受信により、ダイバーシティ用の第２系統用の受信信号も得て、ダイバーシティ受信を行う場合もある。このようなＢＣＭＣＳ受信中に、１ｘ着信（1xEV-DOによる通話・データ通信の着信）がsecondary系の受信部の定期待ち受けにより検知されたときは、図９（ｂ）に示すように、primary系の送受信部によるＢＣＭＣＳ受信を中止し、１ｘ通信を送受信部で行う。さらに、secondary系の受信部による１ｘ受信により、ダイバーシティ用の第２系統用の受信信号も得て、ダイバーシティ受信を行う。このようにして、ＢＣＭＣＳ受信中に１ｘ着信が発生したときは、ＢＣＭＣＳ通信が中止され、ＢＣＭＣＳデータの受信が途中で失敗してしまうという問題がある。また、１ｘ通信の送受信中にＢＣＭＣＳ通信の開始時刻にＢＣＭＣＳ通信が始まる場合も、１ｘ通信が優先されＢＣＭＣＳ受信は失敗する。
【０００７】
本発明は、送受信を伴う通常の通話・データ通信と、ブロードキャスト／マルチキャストにより配信されるデータ受信とが同時に発生したときのブロードキャスト／マルチキャストにより配信されるデータ受信処理の失敗を回避し、ブロードキャスト／マルチキャストにより配信されるデータ受信成功率を向上させた無線通信装置を提供することを目的とする。
【課題を解決するための手段】
【０００８】
上述した諸課題を解決すべく、第１の発明による無線通信装置は、
送信機能および受信機能を持つ送受信部と、
受信機能を持つ受信部と、
送受信を必要とする通信データ（例えばＣＤＭＡ＿１ｘ通信の着信など通話データや通信データ）を前記送受信部により処理し、ブロードキャスト／マルチキャストにより配信されるデータを前記受信部により処理するよう制御する制御部と、
を備えることを特徴とする。
【０００９】
また、第２の発明による無線通信装置は、
前記制御部は、
前記送受信部によってブロードキャスト／マルチキャストにより配信されるデータを受信しているときに、前記受信部が送受信を必要とする新たな通信データを受信した場合、前記送受信を必要とする新たな通信データの処理を前記受信部から前記送受信部に切り替え、前記ブロードキャスト／マルチキャストにより配信されるデータの処理を前記送受信部から前記受信部に切り替えるように制御する切替部を備える、
ことを特徴とする。
【００１０】
また、第３の発明による無線通信装置は、
前記制御部は、
前記送受信部および前記受信部により、送受信を必要とする通信データを受信しているときに（典型的には、２つの受信部の２つのアンテナによる空間ダイバーシティ処理、および、得られた２つの信号の合成ダイバーシティ処理をしているとき）、前記受信部が新たなブロードキャスト／マルチキャストにより配信されるデータを受信した場合、或いは新たなブロードキャスト／マルチキャストにより配信されるデータの受信を開始する場合、前記送受信を必要とする通信データの処理を前記送受信部のみにより実行し、前記新たなブロードキャスト／マルチキャストにより配信されるデータの処理を前記受信部により実行するように制御する、
ことを特徴とする。
【００１１】
また、第４の発明による無線通信装置は、
前記無線通信装置が表示部をさらに備え、
前記制御部は、
前記送受信部がブロードキャスト／マルチキャストにより配信されるデータを受信しているときに、前記受信部が送受信を必要とする新たな通信データを受信した場合、前記送受信を必要とする新たな通信データの処理を前記受信部から前記送受信部に切り替え、前記ブロードキャスト／マルチキャストにより配信されるデータの処理を前記送受信部から前記受信部に切り替えるか、否かの選択を促す旨を前記表示部に表示するように制御し、
（前記無線通信装置は、前記選択を入力する入力部をさらに備える、）
ことを特徴とする。
【００１２】
また、第５の発明による無線通信装置は、
前記無線通信装置が表示部をさらに備え、
前記制御部は、
前記送受信部および前記受信部により、送受信を必要とする通信データを受信しているときに、前記受信部が新たなブロードキャスト／マルチキャストにより配信されるデータを受信した場合、或いは新たなブロードキャスト／マルチキャストにより配信されるデータの受信を開始する場合、前記送受信を必要とする通信データの処理を前記送受信部のみにより実行し、前記新たなブロードキャスト／マルチキャストにより配信されるデータの処理を前記受信部により実行するか否かの選択を促す旨を前記表示部に表示するように制御する、
ことを特徴とする。
【００１３】
また、第６の発明による無線通信装置は、
前記無線通信装置は、
前記受信部および／または前記送受信部が受信する信号の受信感度が所定の閾値以下であるか否かを判定する受信感度判定手段と、
表示部とをさらに備え
前記制御部は、
前記送受信部が送受信を必要とする通信データを処理し、前記受信部がブロードキャスト／マルチキャストにより配信されるデータを処理しているときに、前記受信感度判定手段により、前記受信感度が所定の閾値以下であると判定された場合、前記ブロードキャスト／マルチキャストにより配信されるデータ受信を優先するか、前記送受信を必要とする通信データを優先するか、の選択を促す旨の表示を前記表示部に表示するように制御する、
ここで、前記制御部は、ブロードキャスト／マルチキャストにより配信されるデータおよび送受信を必要とする通信データを同時に受信しているため、移動をひかえる旨を表示するように表示部を制御することが好適である。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１５】
例えば、本発明を方法として実現させた第７の発明による無線通信方法は、
送信機能および受信機能を有する送受信部と、受信機能を有する受信部とを備える無線通信装置による無線通信方法であって、
前記送受信部がブロードキャスト／マルチキャストにより配信されるデータを受信しているときに、前記受信部が送受信を必要とする新たな通信データを受信した場合、前記送受信を必要とする新たな通信データの処理を前記受信部から前記送信部に切り替え、前記ブロードキャスト／マルチキャストにより配信されるデータの処理を前記送受信部から前記受信部に切り替える、
ことを特徴とする。
【発明の効果】
【００１６】
本発明によれば、送受信を伴う通常の通話・データ通信と、ブロードキャスト／マルチキャストにより配信されるデータ（例えばＢＣＭＣＳ）受信とを同時に行うときのブロードキャスト／マルチキャストにより配信されるデータ受信処理の失敗を回避し、双方の受信処理を正常に終えることができる。従って、ブロードキャスト／マルチキャストにより配信されるデータの受信成功率を向上させることが可能となる。
【発明を実施するための最良の形態】
【００１７】
以降、諸図面を参照しながら、本発明の実施態様を詳細に説明する。本発明が対象とする無線通信装置には、携帯電話端末、無線機能搭載ＰＤＡ、および無線通信カードなど様々な形式の装置が含まれるが、無線通信装置の典型例として携帯電話端末に本発明を適用して説明する。また、ブロードキャスト／マルチキャストにより配信されるデータの典型例としてＢＣＭＣＳを用いて説明する。
【００１８】
図１は、本発明による携帯電話端末の基本構成を示すブロック図である。図に示すように、本発明による携帯電話端末１００は、送受信部（primary系）１１０、受信部（secondary系）１２０、制御部１３０、ＢＣＭＣＳ受信判定部（監視部）１４０、１ｘ通信受信判定部（監視部）１５０、記憶部１６０、入力部１７０、および表示部１８０を備える。primary系の送受信部１１０は、アンテナＡＮＴ１を介して、ＢＣＭＣＳの受信、或いは、データ通信・通話の送受信を行う。secondary系の受信部１２０は、アンテナＡＮＴ２を介して、ＢＣＭＣＳの受信、或いは、データ通信・通話の受信を行う。secondary系の受信部１２０は、受信感度がprimary系の感度よりも低いため、何らかの新たな着信の待ち受けや、ダイバーシティ用の第２系統の受信信号の取得のために主として使用される。
【００１９】
なお、上述したようにsecondary系の受信部１２０にて２つの受信信号を取得する機能をＳＨＤＲ(Simultaneous Hybrid Dual Receive)と呼ぶ。従来は、メインのアンテナＡＮＴ１でEV-DOのトラフィックチャネルを使用している間、サブのアンテナＡＮＴ２はメインのアンテナＡＮＴ１のダイバ受信しか行うことができないので、上記チャネルとは別のチャネルを受信するとき(EV-DO時の1xページングの受信等)は、トラフィックチャネルを遮断して受信を行っていた（この機能をHybrid-Modeという）。ＳＨＤＲ機能の同時モード（Simultaneous-Mode）によれば、上記チャネルとは別のチャネル（1x音声の待受ページングチャネルなど）の受信をサブのアンテナＡＮＴ２で行うことが可能となる。
【００２０】
ＢＣＭＣＳ受信判定部（監視部）１４０は、送受信部１１０がＢＣＭＣＳを受信中であるか否かを判定（監視）する。ＢＣＭＣＳ受信判定部１４０がＢＣＭＣＳを受信中であると判定したときは、装置全体の制御を司る制御部１３０にＢＣＭＣＳを受信中であることを通知する。通知を受けた制御部１３０は、記憶部１６０内のＢＣＭＣＳ受信中を示すＢＣＭＣＳ受信中フラグＦＬＧ１（図示せず）をオンにする。ＢＣＭＣＳ受信判定部１４０がＢＣＭＣＳを受信中でないと判定したときは、反対に、ＢＣＭＣＳ受信中フラグＦＬＧ１をオフにして受信が終了したことを示す。また、ＢＣＭＣＳ受信判定部（監視部）１４０は、受信部１２０および送受信部１１０により受信される信号の受信感度（電力レベル）を監視し、所定の閾値以下であるか否かを判定する機能を持つ。
【００２１】
他方、１ｘ通信受信判定部（監視部）１５０は、受信部１２０が１ｘ通信を受信中であるか否かを判定（監視）する。１ｘ通信受信判定部１５０が、１ｘ通信を受信中であると判定したときは、制御部１３０に１ｘ通信を受信中であることを通知する。通知を受けた制御部１３０は、記憶部１６０内の１ｘ通信受信中を示１ｘ通信受信中フラグＦＬＧ２（図示せず）をオンにする。１ｘ通信受信判定部１５０が１ｘ通信を受信中でないと判定したときは、反対に、１ｘ通信受信中フラグＦＬＧ２をオフにして受信が終了したことを示す。
【００２２】
制御部１３０は、上述したフラグを検査するか、或いは、各判定部から得た制御信号に基づき、送受信部１１０および受信部１２０が受信している対象（即ち、ＢＣＭＣＳ、或いは１ｘ通信）を切り替え、即ち、送受信部１１０および受信部１２０が、それぞれが受信すべき受信対象を状況に応じて決定し、切り替える切替部１３２を備える。以下、図を参照して切替動作を詳細に説明する。
【００２３】
図２は、図１に示した携帯電話端末による切替動作（新たに１ｘを着信した場合）の一例を説明する図である。図２（ａ）に示すように、ＢＣＭＣＳ受信は、ＡＮＴ１および送受信部１１０によるprimary系、および、ＡＮＴ２および受信部１２０によるsecondary系によってダイバーシティ方式で受信している。受信部１２０はＢＣＭＣＳを受信しながら、定期的（数秒毎）に１ｘ通信のスロットの受信を試行し、１ｘ通信の待ち受けを行っている。ＢＣＭＣＳ受信中に、受信部１２０が、新たな１ｘ通信を着信した場合は、制御部１３０（切替部１３２）に１ｘ着信があったことを何らかの制御信号或いは記憶部上のフラグなどを介して通知する。この通知を受けた制御部１３０内の切替部１３２は、図２（ｂ）に示すように、送受信部１１０によるＢＣＭＣＳ受信を停止し、受信部１２０のみで受信するように制御し、受信部１２０で受信した新たな１ｘ着信を、受信部１２０から送受信部１１０に切り替えるようにする切替制御を行う。従って、ＢＣＭＣＳ受信中であっても、１ｘ着信を正常に受信し、かつ、ＢＣＭＣＳ受信も正常に続行することができる。
【００２４】
図３は、図１に示した携帯電話端末による切替動作（新たにＢＣＭＣＳ通信を受信した場合）の一例を説明する図である。図３（ａ）に示すように、１ｘ通信は、ＡＮＴ１および送受信部１１０によるprimary系、および、ＡＮＴ２および受信部１２０によるsecondary系によってダイバーシティ方式で受信している。受信部１２０は１ｘ通信を受信しながら、定期的（数秒毎）にＢＣＭＣＳ通信のスロットの受信を試行し、ＢＣＭＣＳ通信の待ち受けを行っている。１ｘ通信中に、受信部１２０が、新たなＢＣＭＣＳ通信（即ち、ＢＯＭ((Broadcast Overhead Message))を受信した場合、或いは、番組表などによりＢＣＭＣＳ受信開始時刻に至りＢＣＭＣＳを受信した場合、制御部１３０（切替部１３２）にＢＣＭＣＳ着信（或いは受信開始したこと）があったことを何らかの制御信号或いは記憶部上のフラグなどを介して通知する。この通知を受けた制御部１３０内の切替部１３２は、図３（ｂ）に示すように、受信部１２０による１ｘ通信を停止し、送受信部１１０のみで受信するように制御し（即ち、ダイバーシティを一旦停止し、１系統のみの受信処理を行う）、受信部１２０で受信した新たなＢＣＭＣＳ着信を、そのまま受信部１２０で受信する切替制御を行う。従って、１ｘ通信中であっても、ＢＣＭＣＳ着信（或いは受信開始）を正常に行い、かつ、１ｘ通信も正常に続行することができる。このように、本発明によれば、通話やデータ通信と、ＢＣＭＣＳ受信とのどちらか片方しか出来なかったのが、両方とも正常に処理することが可能となる。
【００２５】
図４は、通話中にＢＣＭＣＳ受信を行い同時受信が発生したときの表示画面の一例を示す図である。図４に示すように、表示部の画面表示Ｄ１では、送受信を必要とする通話処理（即ち、通話データの送受信処理）を行っている旨が表示されている。画面表示Ｄ２は、通話とＢＣＭＣＳ受信の同時受信中であること、および、同時受信のため、通話やＢＣＭＣＳ受信のダイバーシティ動作が行われていないなどによって、受信感度が低下して通話やデータ通信に影響が出る場合が考えられるため、ユーザに対して同時受信であり、移動を控える旨を警告表示する。画面表示Ｄ３は、画面表示Ｄ２の次に表示される画面であり、同時受信中であるため、移動を控える旨の表示「移動注意」という文言を表示して、ユーザに警告している。
【００２６】
図５は、通話・通信データの送受信処理と、ＢＣＭＣＳ受信との同時処理中にＢＣＭＣＳ受信感度の低下が発生したときの表示画面の一例を示す図である。図５（ａ）は、受信感度が、時間の経過と共に、ユーザに感度低下を警告すべきレベルである閾値ＳＨ１以下に低下し、さらには、受信処理を継続できないレベルである閾値ＳＨ２以下になる様子が示されている。図５（ｂ）に示すように、閾値ＳＨ１以下になった場合は、画面表示Ｄ４を表示する。画面表示Ｄ４は、ＢＣＭＣＳ受信を優先するか、通話・データ通信（送受信が必要なデータの送受信）を優先するかの選択をユーザに促すメッセージが表示される。ＢＣＭＣＳ受信を優先する箇所のラジオボタンがオンになっているため、ここで画面上の「ＯＫ（了承）」ボタンを入力部で選択すれば、ＢＣＭＣＳ受信優先が選択される。ＢＣＭＣＳ受信優先を選択した後の動作を図６を参照して説明する。
【００２７】
図６は、図５（ｂ）においてＢＣＭＣＳ受信優先が選択された後の画面表示および受信状態の変化を示す図である。図６（ａ）に示すように、ＢＣＭＣＳ受信優先が選択されたため、「ＢＣＭＣＳ受信中」であること、および、「ＢＣＭＣＳ受信を優先させたため通話・データ通信を切断したこと」をユーザに通知するメッセージを表示する表示画面Ｄ５が表示される。このときの携帯電話端末１００の受信状態を図６（ｂ）に示す。図６（ｂ）に示すように、ユーザによるＢＣＭＣＳ受信優先の選択を受け、制御部１３０内の切替部１３２は、送受信部１１０に通話・データ通信を切断し、ＢＣＭＣＳ受信を行うよう制御する。受信部１２０は、１ｘ通信（通話・データ通信などの送受信を必要とする通信）の待ち受けを行うように制御する。また、受信部１２０は、ＢＣＭＣＳのダイバーシティ用のサブ信号を得るために使用してもよい。もちろん、このときは、受信部１２０は、ＳＨＤＲ機能によって１ｘ通信の待ち受けも定期的に行う。
【００２８】
図７は、図５（ｂ）において通話・データ通信優先が選択された後の画面表示および受信状態の変化を示す図である。図７（ａ）に示すように、通話・データ通信優先が選択されたため、「通話中」であること、および、「通話・データ通信優先を優先させたこと」をユーザに通知するメッセージを表示する画面表示Ｄ６が表示される。このときの携帯電話端末１００の受信状態を図７（ｂ）に示す。図７（ｂ）に示すように、ユーザによる通話・データ通信優先の選択を受けても、受信部１２０は、圏外になるまでＢＣＭＣＳ受信を継続する。閾値ＳＨ１以下になっても圏外の閾値ＳＨ２以下になるまでは、ＢＣＭＣＳデータを問題なく受信可能であり、ＢＣＭＣＳ受信を中止するよりは、圏外になるまで受信継続する方が、ユーザにメリットがあるからである。
【００２９】
図８は、本発明による携帯電話端末の処理の一例を示すフローチャートである。この処理は、ＢＣＭＣＳ受信中、かつ、通話・データ通信を受信中である場合の処理である。図８に示すように、ステップＳ１０にて、受信感度が所定の閾値以下になったことを検知し、ステップＳ１１にて受信感度低下をユーザに通知する。その後、ステップＳ１２にて、ＢＣＭＣＳ受信を優先するか、通話・データ通信を優先するかをユーザに選択させる。ユーザによりステップＳ１２にて通話・データ通信を優先することが選択された場合、ステップＳ１３に進み、ＢＣＭＣＳ受信を圏外になるまで継続し、できる限りＢＣＭＣＳ番組全体の受信を完了することを試行する。続いて、ステップＳ１４にて、通話・データ通信を優先した旨のメッセージを表示して処理を終える。ステップＳ１２にて、ＢＣＭＣＳ受信を優先することを選択した場合は、ステップＳ１５に進み、primary系の送受信部で受信していた通話・データ通信を切断し、secondary系の受信部で受信していたＢＣＭＣＳを、primary系の送受信部で受信するように切り替える。その後、ステップＳ１６にて、通話・データ通信を切断した旨を表示して処理を終える。
【００３０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。実施態様では、ブロードキャスト／マルチキャストにより配信されるデータとして「ＢＣＭＣＳ」を挙げて説明したが、これは単なる例示に過ぎず、本発明の対象はＢＣＭＣＳに制限されるものではなく、無線を介して複数のユーザを対象として配信されるその他の方式／技法によるデータ（データ配信サービス）も本発明の範囲に含み得ることに注意されたい。
【図面の簡単な説明】
【００３１】
【図１】本発明による携帯電話端末の基本構成を示すブロック図である。
【図２】図１に示した携帯電話端末による切替動作（新たに１ｘを着信した場合）の一例を説明する図である。
【図３】図１に示した携帯電話端末による切替動作（新たにＢＣＭＣＳ通信を受信した場合）の一例を説明する図である。
【図４】通話中にＢＣＭＣＳ受信を行い同時受信が発生したときの表示画面の一例を示す図である。
【図５】通話・通信データの送受信処理と、ＢＣＭＣＳ受信との同時処理中にＢＣＭＣＳ受信感度の低下が発生したときの表示画面の一例を示す図である。
【図６】図５（ｂ）においてＢＣＭＣＳ受信優先が選択された後の画面表示および受信状態の変化を示す図である。
【図７】図５（ｂ）において通話・データ通信優先が選択された後の画面表示および受信状態の変化を示す図である。
【図８】本発明による携帯電話端末の処理の一例を示すフローチャートである。
【図９】従来技術による携帯電話端末においてＢＣＭＣＳ受信を失敗する例を示す図である。
【符号の説明】
【００３２】
１００  携帯電話端末
１１０  送受信部
１１０  送受信部
１２０  受信部
１３０  制御部
１３２  切替部
１４０  ＢＣＭＣＳ受信判定部
１５０  １ｘ通信受信判定部
１６０  記憶部
１７０  入力部
１８０  表示部
ＡＮＴ１  アンテナ
ＡＮＴ２  アンテナ
Ｄ１−Ｄ６  画面表示
ＳＨ１  閾値
ＳＨ２  閾値
【図１】
2008113212.tif 000003
【図２】
2008113212.tif 000004
【図３】
2008113212.tif 000005
【図４】
2008113212.tif 000006
【図５】
2008113212.tif 000007
【図６】
2008113212.tif 000008
【図７】
2008113212.tif 000009
【図８】
2008113212.tif 000010
【図９】
2008113212.tif 000011